(57)【特許請求の範囲】
【請求項１】
液透過性の表面シート、液不透過性の裏面シート及びこれら両シート間に介在された液保持性の吸収体を備え、着用者の脚廻りに配される一対のレッグ部に、それぞれレッグ部弾性部材が伸長状態で配されている使い捨ておむつにおいて、
前記レッグ部弾性部材は、その長手方向両端部がそれぞれ前記吸収体の側縁よりも幅方向外方に位置し且つその中央部がおむつ股下部において前記吸収体の側縁よりも幅方向内方を通るように湾曲させて配設されており、
前記吸収体は、縦長矩形状をなし、その長手方向を、おむつの長手方向と一致させて配設されており、
おむつ股下部における前記吸収体は、該吸収体の両側縁から離間した位置に、該吸収体の他の部位よりも剛性の低い一対の低剛性領域を有しており、
一対の前記レッグ部それぞれに配された前記レッグ部弾性部材は、腹側部と股下部との境界部付近、及び背側部と股下部との境界部付近のそれぞれにおいて、前記吸収体の、前記低剛性領域よりおむつ幅方向外方に位置する部分を横断しており、
前記各レッグ部弾性部材は、その中央部が、前記低剛性領域を通るように配設されており、
前記おむつ股下部における前記吸収体は、一対の前記レッグ部弾性部材により、該各レッグ部弾性部材の配設位置よりも幅方向外方に位置する一対のレッグフラップ吸収体と、一対の該レッグフラップ吸収体間に位置する中央吸収体とに分画されており、
前記レッグフラップ吸収体は、着用時に、前記裏面シート側に屈曲するようになされている使い捨ておむつ。
【請求項２】
前記レッグフラップ吸収体の長手方向長さが、おむつ長手方向長さの１／５〜２／３である請求項１記載の使い捨ておむつ。
【請求項３】
前記レッグフラップ吸収体のおむつ外表面側に、該レッグフラップ吸収体の長手方向に沿ってレッグフラップ弾性部材が配設されており、該レッグフラップ弾性部材は、前記レッグ部弾性部材よりも伸長応力が低い請求項１又は２記載の使い捨ておむつ。
【請求項４】
おむつ股下部における前記吸収体の両側縁部に、該吸収体の両側縁に沿ってレッグフラップサイド弾性部材が配設されており、該レッグフラップサイド弾性部材は、前記レッグ部弾性部材よりも伸長応力が低い請求項１〜３の何れか記載の使い捨ておむつ。
【請求項５】
前記吸収体の両側縁は、各々撥水性のサイドシートにより被覆されており、一対の立体ギャザーが、腹側部から背側部に亘って形成されており、該各立体ギャザーは、弾性部材を有する撥水性のギャザー形成用シートを固定して設けられており、該ギャザー形成用シートと前記サイドシートとは離間し、両シート間に、非撥水性の表面を有するサイド吸収領域が形成されている請求項１〜４の何れか記載の使い捨ておむつ。
【発明の詳細な説明】
【０００１】
【発明の属する技術分野】
本発明は、脚廻りからの漏れを確実に防止することのできる使い捨ておむつに関する。
【０００２】
【従来の技術及び発明が解決しようとする課題】
従来、使い捨ておむつにおいては、排泄物の漏れを如何に防止するかが重要な課題であり、特公平５−３３６３０号公報には、吸収体を、人体に適合する幅の中央吸収部と、その外側に設けられた外側吸収部とから形成することにより、股間部の密着性を高め、それにより漏れ防止性能を向上させた使い捨ておむつが記載されている。
【０００３】
この使い捨ておむつにおいては、前記外側吸収部が、着用者の太股内側に当接する。
しかし、この使い捨ておむつにおいては、中央吸収部と外側吸収部とが一平面状とされて着用者に当接される腹側部及び／又は背側部と、外側吸収部と中央吸収部との間が大きく屈曲する股下部との境界部付近において、外側吸収部がめくれ易く、外側吸収部と着用者の肌との間に生じた隙間を介して漏れを生じる恐れがある。
更に、この使い捨ておむつは、着用者の太股内側に対して外側吸収部を充分に密着させることができない。
要するに、従来の使い捨ておむつにおいては、脚廻りに吸収体を配したものであっても、未だ充分な漏れ防止性能は実現されていなかった。
【０００４】
従って、本発明の目的は、液吸収保持能を有するレッグフラップ部を着用者の肌に密着させることができると共に鼠蹊部に対するフィット性にも優れており、脚廻りからの漏れを確実に防止することのできる使い捨ておむつを提供することにある。
【０００５】
【課題を解決するための手段】
本発明は、液透過性の表面シート、液不透過性の裏面シート及びこれら両シート間に介在された液保持性の吸収体を備え、着用者の脚廻りに配される一対のレッグ部に、それぞれレッグ部弾性部材が伸長状態で配されている使い捨ておむつにおいて、前記レッグ部弾性部材は、その長手方向両端部がそれぞれ前記吸収体の側縁よりも幅方向外方に位置し且つその中央部がおむつ股下部において前記吸収体の側縁よりも幅方向内方を通るように湾曲させて配設されており、前記おむつ股下部における前記吸収体は、一対の前記レッグ部弾性部材により、該各レッグ部弾性部材の配設位置よりも幅方向外方に位置する一対のレッグフラップ吸収体と、一対の該レッグフラップ吸収体間に位置する中央吸収体とに分画されており、前記レッグフラップ吸収体は、着用時に、前記裏面シート側に屈曲するようになされている使い捨ておむつを提供することにより、上記の目的を達成したものである。
【０００６】
【発明の実施の形態】
以下、本発明をその好ましい実施形態に基づいて説明する。
本発明の吸収性物品の一実施形態としての使い捨ておむつ１は、パンツ型の使い捨ておむつであり、図１〜３に示すように、液透過性の表面シート２、液不透過性の裏面シート３及び両シート２，３間に介在された液保持性の吸収体４を有する吸収性本体１０と、該吸収性本体１０の外側（おむつの外表面側）に位置して該吸収性本体１０が接合固定される外層体２０とを具備し、着用時に着用者の腹側に配される腹側部Ａの両側縁Ａ１，Ａ２と背側に配される背側部Ｂの両側縁Ｂ１，Ｂ２とが、ヒートシール、高周波シール、超音波シール等の公知の接合手段により互いに接合されて、ウエスト開口部５及び一対のレッグ開口部６，６が形成されている。
【０００７】
吸収性本体１０は、縦長矩形状をなしており、その長手方向を、展開状態とした使い捨ておむつ１の腹側部Ａと背側部Ｂとを結ぶ方向（図２の上下方向，以下、おむつの長手方向という場合がある）に一致させ、ホットメルト型接着剤等の公知の接合手段により、外層体２０の幅方向中央部に接合されている。吸収体４は、吸収性本体１０と略同形状の縦長矩形状の外形を有しており、表面シート２及び裏面シート３間に挟持固定されている。
【０００８】
ウエスト開口部５には、その開口縁部に沿ってウエストギャザー形成用のウエスト弾性部材５１が所定間隔に複数配されており、その全周に亘って実質的に連続する環状のウエストギャザーが形成されている。
【０００９】
着用者の脚廻りに配される一対のレッグ部６０，６０には、それぞれレッグギャザー形成用のレッグ部弾性部材６１が伸長状態で配されている。
各レッグ部弾性部材６１は、腹側部Ａから股下部Ｃに亘って配された第１弾性部材６１ａと、股下部Ｃから背側部Ｂに亘って配された第２弾性部材６１ｂとからなる。第１弾性部材６１ａ及び第２弾性部材６１ｂは、股下部Ｃにおいて互いに重ね合わされており、連続した弾性部材と実質的に同様に機能する。
【００１０】
おむつ股下部（着用時に着用者の股間に配される部分）Ｃにおける吸収体４は、その長手方向（おむつ長手方向と同方向）の少なくとも一部において、一対のレッグ部弾性部材６１，６１により、各レッグ部弾性部材６１の配設位置よりも幅方向外方に位置する一対のレッグフラップ吸収体４３，４３と、一対の該レッグフラップ吸収体４３，４３間に位置する中央吸収体４２とに分画されている。中央吸収体４２は、おむつ股下部Ｃの幅方向中央に位置し、両レッグフラップ吸収体４３，４３は、中央吸収体４２の左右両側に位置している。
【００１１】
本実施形態においては、おむつ股下部Ｃにおける吸収体４は、該吸収体４の長手方向の両側縁４１，４１から離間し他の部位よりも剛性の低い一対の低剛性領域４Ａ，４Ａを有している。一対の低剛性領域４Ａ，４Ａは、それぞれ吸収体４の長手方向に沿って形成されている。
そして、レッグ部弾性部材６１により画成されたレッグフラップ吸収体４３は、着用時に、レッグ部弾性部材６１の弾性収縮力により、表面シート２側を幅方向外側に向けるように屈曲する。即ち、図４に示すように、レッグ部弾性部材６１の配設部位を折り曲げ線として、裏面シート３側に屈曲する。
これによって着用者の脚部に沿う形で、液保持性の吸収体が配されるので、従来に比べて防漏性が高い。
【００１２】
レッグ部弾性部材６１は、図２に示すように、略円弧状に湾曲させて配設されており、各レッグ部弾性部材６１は、腹側部Ａ側に位置する一端部６２及び背側部Ｂ側に位置する他端部６３が、何れも吸収体４の側縁４１よりも幅方向外方に位置している。
また、各レッグ部弾性部材６１の中央部６４は、おむつ股下部Ｃにおいて吸収体４の側縁４１よりも幅方向内方を通っている。より詳細には、各レッグ部弾性部材６１の中央部６４は、前記低剛性領域４Ａを通っている。
レッグ部弾性部材６１の中央部が低剛性領域４Ａを通るとは、厚み方向における吸収体４よりもおむつ外表面Ｑ側を通る場合、例えば本実施形態のように外層体２０内における低剛性領域４Ａに対応する部位を通る場合も含む意味である。また、レッグ部弾性部材６１の中央部６４とは、レッグ部弾性部材６１の両端部６２，６３を除く部分をいい、少なくともその一部が、股下部Ｃにおいて吸収体４の側縁４１よりも幅方向内方を通っていれば良い。
【００１３】
漏れ防止性能を確実に向上させる観点から、各レッグ部弾性部材６１は、少なくともその長手方向を２等分する中間部近傍が低剛性領域４Ａ内に位置していることが好ましく、また、レッグ部弾性部材６１が低剛性領域４Ａ内を通る長さ（おむつの長手方向に沿って測定した長さ）Ｌは、吸収体４の全長Ｌ１に対して１０〜５０％、特に２０〜４０％であることが好ましく、おむつ１の長手方向長さＬ２に対して５〜４０％、特に１５〜３０％であることが好ましい。
尚、各数値は、おむつのサイド部分の接合を剥離し、展開状態且つ緊張状態（各部の弾性部材を伸長させた状態，図２参照）として測定した寸法に基づくものである。
【００１４】
本実施形態の使い捨ておむつ１においては、レッグ部弾性部材６１を、上述の如く配設してあるため、腹側部Ａと股下部Ｃとの境界部付近及び背側部Ｂと股下部Ｃとの境界部付近においても、レッグフラップ部（レッグフラップ吸収体４３が配されている領域）１１と着用者の肌との間に隙間が生じにくい。そのため、両境界部付近からの排泄物の漏れが生じない。
更に、レッグ部弾性部材６１を、上述の如く配設してあるため、図４に示すように、おむつ１は、レッグ部弾性部材６１の配設部位を折り曲げ線として屈曲し、その屈曲部付近が鼠蹊部に良好にフィットする。そのため、中央吸収体４２上からレッグフラップ部１１の方向に排泄物が移動しても、該屈曲部付近によりその移動が阻止される。即ち、一層漏れ防止性能に優れている。
【００１５】
また、レッグフラップ吸収体４３の長手方向の長さＬ３は、おむつの長手方向長さＬ２の１／５〜２／３であることが好ましい。斯かる範囲内の長さであれば、着用時に着用者の脚部の周囲にレッグフラップ吸収体４３が十分な長さで当たるような形で屈曲し易くなるため、脚部とおむつの隙間を生じることが抑制され、防漏性が一層高まる。
尚、各レッグ部弾性部材６１を構成する第１及び第２弾性部材６１ａ，６１ｂは、本実施形態のように、股下部Ｃにおいて連続的な形状を採ることが最適であるが、股下部Ｃにおいて、レッグフラップ吸収体４３が裏面シート３側に屈曲し、レッグフラップ部と着用者の肌との間に隙間を生じない程度であれば、両弾性部材６１ａ，６１ｂ同士が離間していてもよい。この場合、第１及び第２弾性部材６１ａ，６１ｂの端部が低剛性領域４Ａ内に存在して、それらが互いに離間していても良いし、左右両側の第１弾性部材６１ａ同士及び第２弾性部材６１Ｂ同士がそれぞれ中央吸収体４２を横断する連絡部を介して連続していても良い。
但し、両弾性部材６１ａ，６１ｂを離間させる場合には、着用者の着用状態等で湾曲の形状が影響を受ける可能性があるので、離間させるとしてもその距離は、吸収体の剛性との関係を考慮しながら最小限に留めるべきである。
【００１６】
また、本実施形態においては、吸収体４の左右両側に低剛性領域４Ａを設け、レッグ部弾性部材６１の中央部が、該低剛性領域４Ａを通るように配設されているので、レッグフラップ吸収体４３が屈曲し易く、着用者の脚部へのフィト性が高まり、防漏性が発揮されやすい。
低剛性領域４Ａの形成方法としては、吸収体の一部の剛性を他の部位の剛性よりも低剛性にし得る限り特に制限されないが、例えば吸収体４の一部を所定形状にくり抜く方法、吸収体４の一部を他の部位よりも低坪量とする方法、吸収体４の一部を他の部位よりも薄くする方法、吸収体４の一部を他の部位よりも柔軟な材料により形成する方法等、及びこれらの一又は二以上を組み合せた方法等を挙げることができる。
低剛性領域４Ａ，４Ａの形成方法は、後述する本実施形態の方法又は吸収体４の一部をくり抜く方法が好ましい。
【００１７】
本実施形態のおむつ１における低剛性領域４Ａ，４Ａは、その領域における吸収体の坪量（単位面積当たりの重量）を、隣接する部位における吸収体の坪量よりも低くすることにより形成されている。
低剛性領域４Ａの坪量とその内側に隣接する部位の吸収体坪量との比（低剛性領域／内側隣接部位）及び低剛性領域４Ａの坪量とその外側に隣接する部位の吸収体坪量（低剛性領域／外側隣接部位）は、それぞれ０〜０．５であることが好ましい。
また、低剛性領域４Ａと内側隣接部位及び外側隣接部位との吸収体の坪量差は、それぞれ、少なくとも１００ｇ／ｍ2 以上、特に２００ｇ／ｍ2 以上であることが好ましい。
【００１８】
本実施形態のおむつ１においては、レッグフラップ吸収体４３のおむつ外表面Ｑ側、より詳細には、レッグフラップ吸収体における、低剛性領域４Ａの外側縁４４より外側に位置する部分のおむつ外表面Ｑ側に、該レッグフラップ吸収体４３の長手方向に沿ってレッグフラップ弾性部材７が配設されている。
また、吸収体４の両側縁部には、該吸収体４の両側縁４１，４１に沿ってレッグフラップサイド弾性部材８が配設されている。
尚、本実施形態における両弾性部材７，８は、それぞれ腹側部Ａから背側部Ｂに亘って配設されている。
【００１９】
レッグフラップ弾性部材７及び／又はレッグフラップサイド弾性部材８を設けることにより、脚廻りに対する密着性を一層向上させることができ、漏れをより確実に防止することができる。
但し、レッグフラップ弾性部材７及び／又はレッグフラップサイド弾性部材８を配設した場合、これらの弾性部材の伸長応力が大きいと、レッグ部弾性部材の配設位置以外でレッグフラップ吸収体が不規則に屈曲し、着用者の脚廻りに対するフィット性が低下する恐れがある。
斯かる不都合を防止し、脚廻りに対するフィット性を確実に向上させる観点から、レッグフラップ弾性部材７及び／又はレッグフラップサイド弾性部材８は、その伸長応力が、レッグ部弾性部材６１の伸長応力よりも低いことが好ましい。
【００２０】
レッグフラップ弾性部材７及びレッグフラップサイド弾性部材８が、おむつの両側にそれぞれ配設されている場合、又はレッグフラップ弾性部材７若しくはレッグフラップサイド弾性部材８が、おむつの両側に２本ずつ以上配設されている場合には、おむつの片側に配された弾性部材７，８の合計の伸長応力が、同じ側に配されたレッグ部弾性部材６１の伸長応力よりも低いことが好ましい。
ここで、レッグフラップ弾性部材７、レッグフラップサイド弾性部材８及びレッグ部弾性部材６１の伸長応力は、以下のようにして測定する。
おむつ１の股下部Ｃにおけるレッグフラップ部１１及び低剛性領域４Ａのそれぞれについて、収縮状態での長手方向の長さが１００ｍｍになるように、試験片を切り出し、引張試験機（オリエンテック社製、チャック間５０ｍｍ、試験速度３００ｍｍ／ｍｉｎ）にて、２５％伸張時の応力を測定し、試験片幅で換算して各々の伸張応力を得る。
【００２１】
本実施形態のおむつ１における吸収体４の両側縁４１は、それぞれ、撥水性のサイドシート９により被覆されている。各サイドシート９は、帯状に形成されており、その一側縁部は吸収体４の肌当接面Ｐ側において表面シート２上に接合されており、その他側縁部は吸収体４の非当接面（外表面Ｑと同じ面）側において裏面シート３に接合されている。
サイドシート９で被覆することにより、サイド部吸収部４３からの液の滲み出しを防止することができる。
サイドシート９の上記他側縁部は、図５に示すように、裏面シート３を吸収体４の側縁４１から延出させ、その延出部に接合させても良い。
【００２２】
本使い捨ておむつ１は、腹側部Ａから背側部Ｂに亘って形成された一対の立体ギャザー１２，１２を有している。各立体ギャザー１２は、吸収性本体１０の幅方向内方側に自由端１３を有し外方側に固定端（立ち上がりの基端）１４を有している。各立体ギャザー１１の自由端１３には、該自由端１３に沿って、立体ギャザー形成用の弾性部材１６が伸長状態で配設固定されている。
各立体ギャザー１２は、弾性部材１６を有する撥水性のギャザー形成用シート１５を表面シート２上に固定して設けられており、該ギャザー形成用シート１５と前記サイドシート９とは離間し、これら両シート１５，９間に、非撥水性の表面を有するサイド吸収領域１７が形成されている。
本実施形態の使い捨ておむつは、斯かる構成を有するため、レッグ部弾性部材６１の配設部位を越えて尿等が漏れだした場合においても、サイド吸収領域１７から吸収させることができ、漏れの発生を一層確実に防止することができる。
【００２３】
本実施形態のおむつ１においては、左右一対の両レッグ部弾性部材６１の内の一方を形成する第１及び第２弾性部材６１ａ，６１ｂと、他方を形成する第１及び第２弾性部材６１ａ，６１ｂとは、分断されており、これらの弾性部材は、股下部Ｃの少なくとも幅方向中央部には存在していない。即ち、第１及び第２弾性部材６１ａ，６１ｂは、それぞれ、レッグ部弾性部材６１を形成する部分からおむつ幅方向中央部に向かって延出する部分を有しているが、その延出部の端部は、中央吸収体４２の側縁部より若干内側に位置している。
【００２４】
また、腹側部Ａ及び背側部Ｂそれぞれにおける胴周囲部Ｄには、胴周囲部弾性部材１８がおむつ１の幅方向に所定間隔で複数配されている。胴周囲部Ｄとは、図１に示すように、ウエスト開口部５を上方に向けた状態において、ウエスト部弾性部材５１が配された位置より下方で且つレッグ開口部６，６よりも上方に位置する部分である。
胴周囲部弾性部材１８は、それぞれ、少なくとも吸収体の両側縁４１，４１の位置よりも外方の部位に、弾性伸縮性が発現されるように伸張状態で配設固定されており、且つ吸収体４が存在する部位の少なくとも幅方向中央部Ｍには、胴周囲部弾性部材１８が配されていないか又は該幅方向中央部Ｍにおいては弾性伸縮性を発現しないようになされている。弾性伸縮性を発現しないとは、弾性部材が配されているが、その部分においては、ヒートシール等の熱圧処理等により弾性伸縮性を消失していたり、伸長状態が解除されて弾性伸縮性を発現しないことをいう。
【００２５】
尚、本実施形態のおむつ１において、弾性部材５１、６１及び１８は、何れも外層体２０を構成する二枚のシート材２１，２２間、即ち内層シート２１及び外表面を形成する外層シート２２間に接着剤を介して固定されている。
【００２６】
本実施形態の使い捨ておむつ１の構成部材の形成材料について説明する。
表面シート２、裏面シート３、吸収体４、内層シート２１及び外層シート２２等の形成材料としては、従来、使い捨ておむつ等に用いられるものを特に制限なく用いることができる。
尚、吸収体４としては、例えば、パルプ繊維、レーヨン等のセルロース系繊維、ポリエチレン、ポリプロピレン等の合成繊維等からなる繊維集合体及びこれら繊維集合体の全体又は一部に吸水性ポリマーを保持させたもの等を用いることができる。
【００２７】
各部の弾性部材としては、それぞれ、従来、パンツ型の使い捨ておむつ等に用いられている各種の弾性部材を用いることができる。
弾性部材の形成素材としては、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。
各部の弾性部材の形態としては、各種形態のものを用いることができるが、弾性部材５１，６１（６１ａ，６１ｂ）の形態は、所定幅の帯状のもの（平ゴム等）が好ましく、弾性部材１８の形態は、糸状のもの（糸ゴム等）が好ましく、弾性部材７，８，１６の形態は、糸状のもの（糸ゴム等）、所定幅の帯状のもの（平ゴム等）、薄膜状のもの（ウレタンフィルム等）が好ましい。
【００２８】
また、サイドシート９及び立体ギャザー形成用シート１５としては、パンツ型の使い捨ておむつ等に従来用いられている各種の撥水性のシート材を用いることができ、例えばスパンボンド不織布、スパンボンド−メルトブローン−スパンボンド不織布が好ましい。
【００２９】
本発明は、上述した両実施形態に制限されず、本発明の趣旨を逸脱しない範囲内において適宜変更可能である。
例えば、本発明は、パンツ型の使い捨ておむつの他に、背側部Ａの両側縁部にファスニングテープを設けた、いわゆる展開型の使い捨ておむつに適用することもできる。また、表裏面シートがおむつの外形を形成しており、外層体を有しない使い捨ておむつに適用することもできる。
また、本実施形態におけるように、低剛性領域を設けて、レッグ部弾性部材の配設位置で容易に屈曲するようにするのに代えて、吸収体全体の剛性を弱くしたり、折れ曲げ線を予め設けておくことにより、レッグフラップ吸収体が容易に屈曲するようにすることもできる。
また、低剛性領域は、少なくとも一部において吸収体の側縁から離間していれば良く、例えば、円弧状に湾曲させ、その中央部においては離間させてあるが、その両端部においては側縁に達しているものでも良い。
吸収体の外形は、矩形状のものの他、台形や砂時計形状等としても良い。低剛性領域の形状は、紡錘状、矩形状等としても良い。
また、レッグ部弾性部材は、第１及び第２弾性部材からなるものに限られず、一本の弾性部材から構成されているものでも良い。
【００３０】
【発明の効果】
本発明の使い捨ておむつは、液吸収保持能を有するレッグフラップ部を着用者の肌に密着させることができると共に、着用者の鼠蹊部に対するフィット性にも優れており、脚廻りからの漏れを確実に防止することができるものである。
【図面の簡単な説明】
【図１】図１は、本発明の一実施形態としての使い捨ておむつを示す斜視図である。
【図２】図２は、図１に示す使い捨ておむつの展開状態を示す一部破断平面図である。
【図３】図３は、図２のＸ−Ｘ線断面図である。
【図４】図４は、図１の使い捨ておむつの着用時の状態を模式的に示す図である。
【図５】図５は、本発明の他の実施形態としての使い捨ておむつを示す要部断面図である。
【符号の説明】
１    使い捨ておむつ
２      表面シート
３      裏面シート
４      吸収体
４Ａ    低剛性領域
４１    吸収体の側縁
４２    中央吸収体
４３    レッグフラップ吸収体
６０    レッグ部
６１    レッグ部弾性部材
６１ａ  第１弾性部材
６１ｂ  第２弾性部材
Ａ    腹側部
Ｂ    背側部
Ｃ    股下部
【図１】
0004315613.tif 000002
【図２】
0004315613.tif 000003
【図３】
0004315613.tif 000004
【図４】
0004315613.tif 000005
【図５】
0004315613.tif 000006